(57)【要約】【課題】歯の間に入れて挟まったものを容易に取り除く清潔用具を提供する。【解決手段】平たい紙片状部１１０Ｄ′を備えていて、紙片状部１１０Ｄ′を歯の間に入れて歯の間に挟まったものを取り除く清潔用具１Ｄであって、紙片状部１１０Ｄ′の変形を抑える保形部を備えており、紙片状部１１０Ｄ′が平面視で横長の矩形型に形成されていて突出部１１１が紙片状部１１０Ｄ′の相対する長辺の縁の一方に形成されており、保形部は、紙片状部１１０Ｄ′の相対する長辺の縁の他方に沿って着脱自在に取り付けられて横に延びた摘み部材２０と、紙片状部１１０Ｄ′の短辺と平行に延びるように紙片状部１１０Ｄ′の面に設けられた縦部１６０と、を備えて、紙片状部１１０Ｄ′を突出部１１１がある縁から歯の間に入れ更にスライドさせて歯の間に挟まったものを取り除くことができる。【選択図】図９
2020162989.tif 000002
【特許請求の範囲】
【請求項１】
平たい紙片状部を備えていて、上記紙片状部を歯の間に入れて上記歯の間に挟まったものを取り除く清潔用具であって、
上記紙片状部の周縁の一部では外側へ張り出す複数の突出部が上記周縁に沿って並んでおり、
上記紙片状部を上記突出部がある縁から上記歯の間に入れ更にスライドさせて、上記歯の間に挟まったものを取り除くことを特徴とする、清潔用具。
【請求項２】
上記紙片状部の変形を抑える保形部を備えていることを特徴とする、請求項１に記載の清潔用具。
【請求項３】
上記紙片状部が平面視で横長の矩形型に形成されていて、
上記突出部が上記紙片状部の相対する長辺側の縁の一方に形成されており、
上記保形部は、
上記紙片状部の相対する長辺側の縁の他方に沿って着脱自在に取り付けられて横に延びた摘み部材と、
上記紙片状部の短辺側の縁と平行に延びるように上記紙片状部の面に設けられた縦部と、を備えていることを特徴とする、請求項２に記載の清潔用具。
【請求項４】
上記紙片状部が平面視で横長の矩形型に形成されていて、
上記突出部が上記紙片状部の相対する長辺側の縁の一方に形成されており、
上記保形部は、
上記紙片状部の長辺側の縁と平行に延びるように上記紙片状部の面に設けられた横部と、上記紙片状部の短辺側の縁と平行に延びるように上記紙片状部の面に設けられた縦部と、を備えていることを特徴とする、請求項２に記載の清潔用具。
【請求項５】
上記紙片状部の面は一部が非平滑に構成されていることを特徴とする、請求項１から請求項４の何れかに記載の清潔用具。
【請求項６】
上記突出部が設けられる縁側を区切るように突出側境界部を備え、
上記突出側境界部は、隣接する領域を分ける突出側切断部と、隣接する領域をつなぐ突出側非切断部とを、破線状に交互に複数並べて、上記突出部が設けられる縁側を分離可能に構成すると共に、上記突出部が設けられる縁側の分離の際に外側へ張り出す複数の他の突出部を形成する第２突出形成部として設けられていることを特徴とする、請求項１から請求項５の何れかに記載の清潔用具。
【請求項７】
面を一部の領域に区切るように境界部を設けたシート材を備え、
上記境界部は、隣接する領域を分ける切断部と隣接する領域をつなぐ非切断部とを破線状に交互に複数並べて上記一部の領域を上記紙片状部として分離可能に構成すると共に、上記一部の領域の分離の際に上記突出部を形成する突出形成部として設けられていることを特徴とする、請求項１から請求項６の何れかに記載の清潔用具。
【請求項８】
上記シート材は上記境界部を境に上記紙片状部が複数つづられて構成されていることを特徴とする、請求項７に記載の清潔用具。
【発明の詳細な説明】
【技術分野】
【０００１】
本発明は、歯の間に挟まったものを取り除くための清潔用具に関する。
【背景技術】
【０００２】
従来より、歯の間に挟まったものを取り除く際に楊枝やブラシが利用されている。
【発明の概要】
【発明が解決しようとする課題】
【０００３】
先端が尖った形を成し木や竹でできた楊枝、また金属ワイヤーなどの線状部材に複数の細線を放射状に突出させたブラシは、それぞれ歯の隙間に比べて太く構成されていて歯の間に入れづらく、挟まったものを容易に取り除けない場合がある。
【０００４】
本発明は、歯の間に入れて挟まったものを容易に取り除く清潔用具を提供することを目的とする。
【課題を解決するための手段】
【０００５】
本発明は、平たい紙片状部を備えていて、上記紙片状部を歯の間に入れて上記歯の間に挟まったものを取り除く清潔用具であって、上記紙片状部の周縁の一部では外側へ張り出す複数の突出部が上記周縁に沿って並んでいる。上記清潔用具は、上記紙片状部を上記突出部がある縁から上記歯の間に入れ更にスライドさせて、上記歯の間に挟まったものを取り除くことができる。
【０００６】
本発明は、好ましくは、上記紙片状部の変形を抑える保形部を備えている。
【０００７】
本発明は、上記紙片状部の面の一部を非平滑に構成してもよい。
【０００８】
また、本発明は、上記突出部が設けられる縁側を区切るように突出側境界部を備えてもよい。上記突出側境界部は、隣接する領域を分ける突出側切断部と、隣接する領域をつなぐ突出側非切断部とを、破線状に交互に複数並べて、上記突出部が設けられる縁側を分離可能に構成すると共に、上記突出部が設けられる縁側の分離の際に外側へ張り出す複数の他の突出部を形成する第２突出形成部として設けられる。
【０００９】
本発明は、面を一部の領域に区切るように境界部を設けたシート材として構成されてもよい。上記境界部は、隣接する領域を分ける切断部と隣接する領域をつなぐ非切断部とを破線状に交互に複数並べて上記一部の領域を上記紙片状部として分離可能に構成すると共に、上記一部の領域の分離の際に上記突出部を形成する突出形成部として設けられる。上記シート材は、例えば上記境界部を境に上記紙片状部が複数つづられて構成されている。
【発明の効果】
【００１０】
本発明によれば、平たい紙片状部を歯の間に入れて清掃を容易に行える。
【図面の簡単な説明】
【００１１】
【図１】（ａ）は本発明の第１実施形態の清潔用具を示す平面図であり、（ｂ）は（ａ）のＡ１−Ａ１線に沿った清潔用具の断面図である。
【図２】本発明の第１実施形態の清潔用具であって、一枚の紙片状部と残余部とを分離して示す平面図ある。
【図３】（ａ）は本発明の第１実施形態の清潔用具の摘み部材を示す平面図であり、（ｂ）は（ａ）のＢ−Ｂ線に沿った摘み部材の断面図である。
【図４】図２のＡ２−Ａ２線に沿った紙片状部の拡大断面図である。
【図５】（ａ）と（ｂ）は本発明の第１実施形態の清潔用具の使用方法を説明するための図である。
【図６】（ａ）は本発明の第２実施形態の清潔用具を示す平面図であり、（ｂ）は（ａ）のＣ−Ｃ線に沿った清潔用具の断面図であり、（ｃ）は（ａ）のシート部材から切り離した紙片状部を示す平面図である。
【図７】（ａ）は本発明の第３実施形態の清潔用具を示す平面図であり、（ｂ）は（ａ）のＤ−Ｄ線に沿った清潔用具の断面図であり、（ｃ）は（ａ）のシート部材から切り離した紙片状部を示す平面図である。
【図８】（ａ）は本発明の第４実施形態の清潔用具を示す平面図であり、（ｂ）は（ａ）のＥ−Ｅ線に沿った清潔用具の断面図であり、（ｃ）と（ｄ）は（ａ）のシート部材から切り離した紙片状部を示す平面図である。
【図９】（ａ）は本発明の第１実施例の清潔用具を示す平面図であり、（ｂ）は（ａ）のシート部材から切り離した紙片状部を示す平面図である。
【図１０】（ａ）は本発明の第２実施例の清潔用具を示す平面図であり、（ｂ）は（ａ）のシート部材から切り離した紙片状部を示す平面図である。
【発明を実施するための形態】
【００１２】
（第１実施形態）
図１は本発明の第１実施形態の清潔用具１を示す図であり、（ａ）は平面図、（ｂ）は（ａ）のＡ−Ａ線に沿った断面図である。清潔用具１は、全体に亘って平たく構成されたシート部材１０と、シート部材１０に着脱自在に取り付けられる摘み部材２０と、を備えている。
【００１３】
シート部材１０は、平面視で輪郭が矩形を成し、図示例では縦に長く広がっている。シート部材１０は、縦長の面を複数の領域に区切るよう横に延びる複数の境界部１２０を備えており、境界部１２０は隣接する領域を分ける切断部１２１と、隣接する領域をつなぐ非切断部１２２とが交互に破線状に横に並んで構成されている。
【００１４】
境界部１２０は、シート部材１０を構成する基材に切断部１２１としての複数の穴を開けることで構成することができ、穴と穴の間が非切断部１２２を成す。図示例の穴は円形であるが他の形状や線状の切れ込みなどであってもよい。
【００１５】
非切断部１２２におけるつながりが破壊可能であり、シート部材１０は、平面視で前後に相対する縁側の領域から順に切り離すことができるよう、複数の紙片状部１１０がつながって構成されている。図示例では四枚の紙片状部１１０でシート部材１０を構成している。図２は清潔用具１を示す平面図であって一つの紙片状部１１０が分離した状態を表している。以下、分離した紙片状部１１０には符号１１０に代えて符号１１０′を用いる。また、紙片状部１１０′が切除されたシート部材１０の残りを残余部１２と呼ぶ場合がある。
【００１６】
図２に示すように、紙片状部１１０′は、平面視で縦より横の寸法を大きく（Ｗ＞Ｌ）設定されていて、長辺と短辺で成る縁で囲われた横長に広がる面を有する。紙片状部１１０′は、距離を置いて相対する長辺側の縁はそれぞれ外側へ張り出す突出部１１１が横に並んで凹凸型に形成されている。境界部１２０が突出形成部としてシート部材１０に設けられていて、シート部材１０から紙片状部１１０′を分離する際に、非切断部１２２が全て切断されることで紙片状部１１０′の縁の一部に突出部１１１を形成する。
【００１７】
図３（ａ）は本発明の第１実施形態の清潔用具１の摘み部材２０を示す平面図であり、図３（ｂ）は図３（ａ）のＢ−Ｂ線に沿った摘み部材２０の断面図である。摘み部材２０は、紙片状部１１０′を部分的に内側に入れて紙片状部１１０′を挟むように構成されており、紙片状部１１０′の長辺側の縁に着脱自在に取り付けることができる。摘み部材２０は、紙片状部１１０′より厚みのある肉厚部を構成する。
【００１８】
摘み部材２０は、対向して設けられていて紙片状部１１０′の面に当たる一対の当接部２１１，２１２を備えている。当接部２１１，２１２では、互いの根元側がつながっており、先端側は拡開可能に接触或いは近接している。摘み部材２０は、当接部２１１，２１２を弾性的に変形させて先端側を離し、口２１３を開けることができる。紙片状部１１０′の一部を摘み部材２０の内側に入れ、当接部２１１，２１２の先端側を元の位置へ戻すことで、紙片状部１１０′を挟むことができる。
【００１９】
また、摘み部材２０は、紙片状部１１０′より剛性が高く構成されており、紙片状部１１０′の長辺側を挟んで、保形部として紙片状部１１０′が横に広がる状態を保持するよう働く。なお、図示例では使用前のシート部材１０において、摘み部材２０が一つ縁に取り付けられた形態を表しているが、摘み部材２０を相対する縁にそれぞれ設けてもよい。
【００２０】
以上のように、清潔用具１では、複数の紙片状部１１０がつづられて構成されていて、摘み部材２０が着脱自在に設けられている。シート部材１０を構成するための基材は、和紙、加工紙、不織布などの各種の紙、樹脂やそれらの複合で成るシート（以下、基材シートと呼ぶ。）を利用することができ、厚みを０．１ｍｍから０．５ｍｍに設定されている。図４は基材シート１００の構成例を示す図であり、図２のＡ２−Ａ２線に沿った紙片状部１１０Ｄ′の断面を拡大して表している。紙片状部１１０Ｄ′を構成する基材シート１００は、表と裏に設けられる紙１０１，１０２とそれらに挟まれるアルミ箔１０３との複数層で構成されており、厚みは０．３ｍｍから０．４ｍｍに設定されている。摘み部材２０は、樹脂製或いは金属製で口２１３を拡縮可能に構成されている。
【００２１】
（使用方法）
図２と図５とを用いて清潔用具１の使用方法について説明する。先ず図２に示すようにシート部材１０から紙片状部１１０′を一枚切り離す。次に切り離した平たい紙片状部１１０′の一方の長辺側の縁に摘み部材２０を取り付ける。なお、図２では摘み部材２０の輪郭を一点鎖線で表している。紙片状部１１０′が摘み部材２０によって長手方向に延びた形態で摘み部材２０を摘み、紙片状部１１０を口に入れ、図５（ａ）に示すように紙片状部１１０′の他方の長辺側に設けられる突出部１１１を対象となる歯５Ａ，５Ｂの間へ向ける。これに続けて、図５（ｂ）に示すように紙片状部１１０′の突出部１１１側を歯５Ａ，５Ｂの間に入れ、更に口の内側から外側へまたその逆向へ紙片状部１１０′をスライドさせると、歯５Ａ，５Ｂの間に挟まったもの７が突出部１１１に引っ掛かり、取り除くことができる。なお、紙片状部１１０′は摘み部材２０の取り付け位置を変えて長辺側の両方の縁を清掃に利用してもよい。
【００２２】
第１実施形態の清潔用具１によれば、紙片状部１１０′が薄く構成されていて歯の間に入れ易く、また紙片状部１１０′が曲折し易いが保形部としての摘み部材２０によって変形を抑えられているので、歯の間の清掃を容易に行える。
【００２３】
また、第１実施形態の清潔用具１によれば、摘み部材２０が、歯の清掃の際に用いることに加えて、使用前の紙片状部１１０の突出部１１１に被せることで、突出部１１１を保護して変形を防止することができる。一部の紙片状部１１０′を切り離して使用した後は、残余部１２側の紙片状部１１０の縁に取り付けると、次に使用するまで突出部１１１を保護することができる。
【００２４】
さらに、第１実施形態の清潔用具１では、縦につづられた紙片状部１１０を順に切り離して歯の清掃を複数回行うことができる。また、紙片状部１１０′には、使用の際に突出部１１１が一方の長辺の縁に形成されるため、そのまま形の崩れていない突出部１１１を利用することができ、紙などで構成されている場合には突出部１１１の切断面からさらに微細な紙繊維が突き出ていて清掃に好適である。
【００２５】
（第２実施形態）
図６は本発明の第２実施形態の清潔用具１Ａを示す図であり、（ａ）は平面図、（ｂ）は（ａ）のＣ−Ｃ線に沿った断面図である。清潔用具１Ａは、第１実施形態と異なり着脱自在な摘み部材２０を備えずに、全体に亘って両面が平坦状に構成されたシート部材１０Ａで構成されている。第１実施形態と同様の構成には同じ符号を用いてその説明を省略する。
【００２６】
シート部材１０Ａは、平面視で、紙片状部１１０Ａが縦につづられて構成されており、境界部１２０を境に順に切り離すことができる。図６（ｃ）は図６（ａ）のシート部材１０Ａから切り離した紙片状部１１０Ａを示す平面図である。以下、分離した紙片状部１１０Ａには符号１１０Ａに代えて符号１１０Ａ′を用いる。紙片状部１１０Ａ′は、平面視で縦より横の寸法を大きく（Ｗ＞Ｌ）設定されていて、長辺と短辺で成る縁で囲われた横長に広がる面を有する。
【００２７】
本実施形態の紙片状部１１０Ａ′には、樹脂材を塗布して固化させた横部１３０が設けられている。図６では横部１３０にハッチングを付して表している。横部１３０は、一方の長辺側の縁に沿って設けられ、つまり横に延びていて、保形部として紙片状部１１０Ａ′が横に広がる状態を保持するよう働く。なお、保形部としての横部１３０は、図示例のように一つ設ける場合の他、縦に並ぶよう距離を置いて複数設けてもよい。また横部１３０に代えて短辺側の縁と平行に縦に延びる縦部を設けたり、横部１３０と縦部とを両方設けて保形部を構成してもよい。
【００２８】
（使用方法）
清潔用具１Ａの使用方法は、第１実施形態の清潔用具１Ａと同様に、シート部材１０Ａの前後に相対する縁から順に一枚の紙片状部１１０Ａ′を切り離して利用する。切り離した紙片状部１１０Ａ′で横部１３０が寄せて設けられる一方の長辺側を摘み、紙片状部１１０Ａ′を口に入れ、図５（ａ）に示す第１実施形態の紙片状部１１０′と同様に、他方の長辺側に設けられる突出部１１１を対象となる歯５Ａ，５Ｂの間へ向ける。これに続けて、図５（ｂ）に示す第１実施形態の紙片状部１１０′と同様に、紙片状部１１０Ａ′を歯５Ａ，５Ｂの間に入れ、更に口の内側から外側へまたその逆向へ紙片状部１１０Ａをスライドさせる。これにより歯５Ａ，５Ｂの間に挟まったものが突出部１１１に引っ掛かり、取り除くことができる。
【００２９】
第２実施形態の清潔用具１Ａによれば、曲折し易く平たい紙片状部１１０Ａが保形部としての横部１３０によって変形を抑えられているので、歯の間に入れて清掃を容易に行える。
【００３０】
（第３実施形態）
図７は本発明の第３実施形態の清潔用具１Ｂを示す図であり、（ａ）は平面図、（ｂ）は（ａ）のＤ−Ｄ線に沿った断面図である。清潔用具１Ｂは、シート部材１０Ｂと、シート部材１０Ｂに着脱自在に取り付けられる摘み部材２０と、を備えている。第１実施形態と同様の構成には同じ符号を用いてその説明を省略する。
【００３１】
シート部材１０Ｂは、平面視で、紙片状部１１０Ｂが縦につづられて構成されており、境界部１２０を境に前後に相対する縁から順に紙片状部１１０Ｂを切り離すことができる。図７（ｃ）は図７（ａ）のシート部材１０Ｂから切り離した紙片状部１１０Ｂを示す平面図である。以下、分離した紙片状部１１０Ｂには符号１１０Ｂに代えて符号１１０Ｂ′を用いる。紙片状部１１０Ｂ′は、平面視で縦より横の寸法を大きく（Ｗ＞Ｌ）設定されていて、長辺と短辺で成る縁で囲われた横長に広がる面を有する。
【００３２】
本実施形態の紙片状部１１０Ｂ′は、第１実施形態のシート部材１０と異なり、平面視で、全体に亘って上方へ突き出た凸部１４１を複数備えて、両面が凹凸状に構成されている。凸部１４１の内側は、反対側の面で窪んだ凹部１４２を構成する。凸部１４１と凹部１４２とは、好ましくは強度が弱く変形し易い脆弱部として構成される。凸部１４１は、平面視で輪郭が正方形に形成されているが長方形や三角その他の形状であってもよいし、筋状に縦、横、或いは斜めに延びた溝を備えて、紙片状部１１０Ｂ′の面を非平滑に構成してもよい。
【００３３】
図示例では、凸部１４１が、相対する長辺側の縁に設けられる突出部１１１を除いて、紙片状部１１０Ｂ′のほぼ全体に亘って複数設けられているが、紙片状部１１０Ｂ′の横長の面の内、例えば中央の一部に設けたりして、平滑な箇所が非平滑な箇所より広く現れるように構成してもよい。また、紙片状部１１０Ｂ′では、一方の面に凸部１４１を複数、他方の面に凹部１４２を複数備えているが、両方の面それぞれに凸部１４１と凹部１４２とを複数設けてもよい。
【００３４】
図示例では、脆弱な部位として凸部１４１を高く、また凹部１４２を深く表しているが、それらの寸法は図示例の比率に限るものではない。立体的な形状が崩れる脆弱な部分に代えて、例えば０．１ｍｍ〜０．３ｍｍ程度の突起や凹みで非平滑な箇所を構成して、シート状部材が全体的に平たく構成されてもよい。
【００３５】
（使用方法）
清潔用具１Ｂの使用方法は、第１実施形態の清潔用具１と同様に、前後に相対する縁から順に一枚の紙片状部１１０Ｂ′を切り離して利用する。切り離した紙片状部１１０Ｂ′の一方の長辺側の縁に摘み部材２０を取り付け、摘み部材２０を摘んで紙片状部１１０Ｂ′を口に入れ、図５（ａ）に示す第１実施形態の紙片状部１１０と同様に、他方の長辺側に設けられる突出部１１１を対象となる歯５Ａ，５Ｂの間へ向ける。これに続けて、図５（ｂ）に示す第１実施形態の紙片状部１１０と同様に、紙片状部１１０Ｂ′を歯５Ａ，５Ｂの間に入れ、更に口の内側から外側へまたその逆向へ紙片状部をスライドさせる。これにより歯５Ａ，５Ｂの間に挟まったもの７が突出部１１１に引っ掛かり、取り除くことができる。
【００３６】
第３実施形態の清潔用具１Ｂによれば、歯５Ａ，５Ｂの間に挟まったもの７を取り除くと共に、凹凸状に形成された紙片状部１１０Ｂ′の面で歯５Ａ，５Ｂの側面を磨くことができる。
【００３７】
（第４実施形態）
図８は本発明の第４実施形態の清潔用具１Ｃを示す図であり、（ａ）は平面図、（ｂ）は（ａ）のＥ−Ｅ線に沿った断面図である。清潔用具１Ｃは、シート部材１０Ｃと、シート部材１０Ｃに着脱自在に取り付けられる摘み部材２０と、を備えている。第１実施形態と同様の構成には同じ符号を用いてその説明を省略する。
【００３８】
シート部材１０Ｃは、平面視で、紙片状部１１０Ｃが縦につづられて構成されており、境界部１２０を境に前後に相対する縁から順に紙片状部１１０Ｃを切り離すことができる。図８（ｃ）は図８（ａ）のシート部材１０Ｃから切り離した紙片状部１１０Ｃを示す平面図である。以下、分離した紙片状部１１０Ｃには符号１１０Ｃに代えて符号１１０Ｃ′を用いる。紙片状部１１０Ｃ′は、平面視で縦より横の寸法を大きく（Ｗ＞Ｌ）設定されていて、長辺と短辺で成る縁で囲われた横長に広がる面を有する。
【００３９】
本実施形態の紙片状部１１０Ｃ′は、突出側境界部として突出部１１１が設けられる縁側を区切るよう、第２境界部１５０を設けている。第２境界部１５０は、紙片状部１１０Ｃ′の内、隣接する領域を分ける突出側切断部（以下、切断部１５１と呼ぶ。）と、隣接する領域をつなぐ突出側非切断部（以下、非切断部１５２と呼ぶ。）とを破線状に交互に複数並べて構成されている。
【００４０】
第２境界部１５０は、シート部材１０Ｃを構成する基材シートに切断部１５１としての複数の穴を開けることで構成することができ、穴と穴の間が非切断部１５２を成す。図示例の穴は矩形であるが他の形状や線状の切れ込みなどであってもよい。また、シート部材１０Ｃから紙片状部１１０Ｃを分離するための境界部１２０と区別できるよう、形や大きさを変えて設けてもよい。
【００４１】
第２境界部１５０は、突出部１１１が設けられる縁側の分離の際に外側へ張り出す複数の他の突出部を形成する第２突出形成部として設けられている。第２境界部１５０の全ての非切断部１５２を切断して突出部１１１側を切除すると、図８（ｄ）に示すように新たな突出部１１２が形成される。
【００４２】
（使用方法）
清潔用具１Ｃの使用方法は、第１実施形態の清潔用具１と同様に、前後に相対する縁から順に一枚の紙片状部１１０Ｃ′を切り離して利用する。切り離した紙片状部１１０Ｃ′の一方の長辺側の縁に摘み部材２０を取り付け、摘み部材２０を摘んで紙片状部１１０Ｃ′を口に入れ、図５（ａ）に示す第１実施形態の紙片状部１１０と同様に、他方の長辺側に設けられる突出部１１１を対象となる歯５Ａ，５Ｂの間へ向ける。これに続けて、図５（ｂ）に示す第１実施形態の紙片状部１１０と同様に、紙片状部１１０Ｃ′を歯５Ａ，５Ｂの間に入れ、更に口の内側から外側へまたその逆向へ紙片状部をスライドさせる。これにより歯５Ａ，５Ｂの間に挟まったもの７が突出部１１１に引っ掛かり、取り除くことができる。
【００４３】
第４実施形態の清潔用具１Ｃによれば、紙片状部１１０Ｃ′を使用して突出部１１１の形が崩れたら、第２境界部１５０を境に突出部１１１側を切除して、新たな複数の突出部１１２を形成して、再度歯の清掃を行うことができる。
【００４４】
（第１実施例）
図９（ａ）は本発明の第１実施例の清潔用具１Ｄを示す平面図である。清潔用具１Ｄは、両面が平坦状に構成されたシート部材１０Ｄと、シート部材１０Ｄに着脱自在に取り付けられる摘み部材２０と、を備えている。第１実施形態と同様の構成には同じ符号を用いてその説明を省略する。
【００４５】
シート部材１０Ｄは、平面視で、紙片状部１１０Ｄが縦につづられて構成されており、境界部１２０を境に前後に相対する縁側から順に切り離すことができる。図９（ｂ）は図９（ａ）のシート部材１０Ｄから切り離した紙片状部１１０Ｄを示す平面図である。以下、分離した紙片状部１１０Ｄには符号１１０Ｄに代えて符号１１０Ｄ′を用いる。紙片状部１１０Ｄ′は、平面視で縦より横の寸法を大きく（Ｗ＞Ｌ）設定されていて、長辺と短辺で成る縁で囲われた横長に広がる面を有する。
【００４６】
紙片状部１１０Ｄ′を構成する基材シートは、厚みが０．３ｍｍから０．４ｍｍに設定されている。
【００４７】
紙片状部１１０Ｄ′は、平面視で縦に延びていて樹脂材を塗布して固化させた縦部１６０を複数設けている。図９では縦部１６０にハッチングを付して表している。図示例では、縦部１６０が、横に距離を置いて、短辺の縁に添った両側とそれらの中間側とに設けられている。縦部１６０は保形部として紙片状部１１０Ｄ′が縦に広がる状態を保持するよう働く。シート部材１０Ｄでは、図９（ａ）に示すように紙片状部１１０Ｄそれぞれの縦部１６０が連なってシート部材１０Ｄを縦断するように設けられている。
【００４８】
清潔用具１Ｄの使用方法は、第１実施形態の清潔用具１と同様に、平面視で前後に相対する縁から順に一枚の紙片状部１１０Ｄ′を切り離して利用する。切り離した紙片状部１１０Ｄ′の一方の長辺側の縁に摘み部材２０を取り付ける。摘み部材２０を取り付ける際、摘み部材２０が紙片状部１１０Ｄ′の全ての縦部１６０を挟むように、一方の長辺側の縁に取り付ける。摘み部材２０の取付後、摘み部材２０を摘んで紙片状部１１０Ｄ′を口に入れ、図５（ａ）に示す第１実施形態の紙片状部１１０′と同様に、他方の長辺側に設けられる突出部１１１を対象となる歯５Ａ，５Ｂの間へ向ける。これに続けて、図５（ｂ）に示す第１実施形態の紙片状部１１０′と同様に、紙片状部１１０Ｄ′を歯５Ａ，５Ｂの間に入れ、更に口の内側から外側へまたその逆向へ紙片状部をスライドさせる。これにより歯５Ａ，５Ｂの間に挟まったもの７が突出部１１１に引っ掛かり、取り除くことができる。
【００４９】
第１実施例の清潔用具１Ｄによれば、紙片状部１１０Ｄ′が薄く構成されていて歯の間に入れ易く、また紙片状部１１０Ｄ′が曲折し易いが、摘み部材２０とこの摘み部材２０に直交するように設けられた縦部１６０とが保形部として紙片状部１１０Ｄ′の変形を抑えるので、歯の間の清掃を容易に行える。
【００５０】
摘み部材２０が使用前の紙片状部１１０Ｄの突出部１１１に被せることで、使用前の紙片状部１１０Ｄの折れ曲がりを防止し、縦部１６０もシート部材１０Ｄを縦断するよう設けられていることでシート部材１０Ｄの折れ曲がり防止することができる。
【００５１】
（第２実施例）
図１０（ａ）は本発明の第２実施例の清潔用具１Ｅを示す平面図である。清潔用具１Ｅは、両面が平坦状に構成されたシート部材１０Ｅを備えている。第２実施形態や第１実施例と同様の構成には同じ符号を用いてその説明を省略する。
【００５２】
シート部材１０Ｅは、平面視で、紙片状部１１０Ｅが縦につづられて構成されており、境界部１２０を境に前後に相対する縁側から順に切り離すことができる。図１０（ｂ）は図１０（ａ）のシート部材１０Ｅから切り離した紙片状部１１０Ｅを示す平面図である。以下、分離した紙片状部１１０Ｅには符号１１０Ｅに代えて符号１１０Ｅ′を用いる。紙片状部１１０Ｅ′は、平面視で縦より横の寸法を大きく（Ｗ＞Ｌ）設定されていて、長辺と短辺で成る縁で囲われた横長に広がる面を有する。
【００５３】
紙片状部１１０Ｅ′は、厚みが０．１ｍｍから０．５ｍｍに設定された紙でアルミ箔を挟んだ積層構造を有する基材シートで構成されている。紙とアルミ箔との間に接着層が設けられている。
【００５４】
紙片状部１１０Ｅ′は、平面視で、横長の面を横断するよう長辺側の縁と平行に、つまり横に延びた横部１３０と、短辺側の縁それぞれに沿って縦に延びた縦部１６０と、を設けている。図１０では横部１３０と縦部１６０にハッチングを付して表しており、横部１３０と縦部１６０は紙片状部１１０Ｅ′に平面視でＨ字型に配置されて、横部１３０は突出部１１１から離れている。横部１３０と縦部１６０とは、表側の紙から裏側の紙まで厚み方向に圧縮してハッチングを付されていない他の部位と比べて硬く構成されている。
【００５５】
保形部としての横部１３０と縦部１６０とは、基材シート（紙、アルミ箔、紙）に対して加工して形成してもよいし、紙、アルミ箔、紙を重ね合わせて基材シートを製造する際に接着と共に部分的に厚みが薄くなるように圧縮して、構成することができる。シート部材１０Ｅでは、図１０（ａ）に示すように紙片状部１１０Ｅそれぞれの縦部１６０が連なってシート部材１０Ｅを縦断するように設けられている。
【００５６】
清潔用具１Ｅの使用方法は、第２実施形態の清潔用具１Ａと同様に、平面視で前後に相対する縁から順に一枚の紙片状部１１０Ｅ′を切り離して利用する。
【００５７】
第２実施例の清潔用具１Ｅによれば、紙片状部１１０Ｅ′が薄く構成されていて歯の間に入れ易く、また横部１３０とこの横部１３０に直交する縦部１６０を設けていることで、紙片状部１１０Ｅ′の変形を抑えて、歯の間の清掃を行うことができる。
【００５８】
本発明の清潔用具は、以上の説明や図示例に限定されるものではない。上記説明では、紙片状部がつづられた構成を示したが、一枚の紙片状部を単体で製造し清潔用具として利用することもでき、この場合、相対する長辺の縁の一方にだけ突出部を設けてもよい。
【００５９】
シート部材では、紙片状部が複数の列で縦に並ぶように設け、列と列との境が上記境界部と同様に切断される箇所として構成することもできる。
【００６０】
また、シート部材は、紙片状部だけでなく、余白の部分を含めて構成することもでき、例えば一枚の紙片状部と余白部とでシート部材を構成する。紙片状部の輪郭も矩形型に限らず、その他の形状であってもよい。
【００６１】
清潔用具を構成するシート部材は、平面視で水平に広がっている形態の他、ロール状に巻いた形態や境界部１２０を境に折り畳んだ形態で利用することもできる、
【００６２】
紙製のシート基材を用いて、ハーブや薬用成分などを含浸させて構成すると、使用の際に清涼感などを使用者に与えることができる。
【００６３】
保形部としての横部や縦部は、基材シートに塗布したり含浸させた樹脂材などを自然に或いは熱圧縮などで固化させて構成する他、基材シートとは別部材の他の紙片やフィルムを重ねてもよい。
【符号の説明】
【００６４】
１，１Ａ，１Ｂ，１Ｃ，１Ｄ，１Ｅ  清潔用具
１０，１０Ａ，１０Ｂ，１０Ｃ，１０Ｄ，１０Ｅ  シート部材
１２  残余部
１１０，１１０′，１１０Ａ，１１０Ａ′，１１０Ｂ，１１０Ｂ′，１１０Ｃ，１１０Ｃ′，１１０Ｄ，１１０Ｄ′，１１０Ｅ，１１０Ｅ′  紙片状部
１１１，１１２  突出部
１２０  境界部
１２１，１５１  切断部
１２２，１５２  非切断部
１３０  横部
１４１  凸部
１４２  凹部
１５０  第２境界部
１６０  縦部
２０  摘み部材
２１１，２１２  当接部
【図１】
2020162989.tif 000003
【図２】
2020162989.tif 000004
【図３】
2020162989.tif 000005
【図４】
2020162989.tif 000006
【図５】
2020162989.tif 000007
【図６】
2020162989.tif 000008
【図７】
2020162989.tif 000009
【図８】
2020162989.tif 000010
【図９】
2020162989.tif 000011
【図１０】
2020162989.tif 000012